(57)【要約】【課題】型枠支保および脱型不要の基礎の施工方法を提供する【解決手段】基礎の施工方法は、基礎の予定地を溝１０状に掘削し、溝１０内の所定の位置に、第１の面２１ａと、第１の面２１ａに直交する方向に突出した突出部を有する同一形状の２個のブロックを、相互に第１の面２１ａ、２１ｂ間の距離を調整可能に、且つ、第１の面２１ａが溝１０の底面と交わる方向に向くように設置し、２個のブロックのうちのいずれか一方の上に空洞部が縦方向に延びる型枠状ブロック４５を載置し、２個のブロック２０，２１のそれぞれの第１の面２１ａ，２１ｂによって囲まれた部分および型枠状ブロック４５の空間部にコンクリート５０を打設することによって基礎を構成する。【選択図】図７
2007303253.tif 000002
【特許請求の範囲】
【請求項１】
基礎の予定地を溝状に掘削し、
掘削した溝内の所定の位置に、第１の面と、前記第１の面から交わる方向に突出した突出部を有する同一形状の２個のブロックを、相互に前記第１の面間の距離を調整可能に、且つ、前記第１の面が溝の底面と交わる方向に向くように設置し、
前記２個のブロックのうちの少なくともいずれか一方の上に空洞部が縦方向に延びる型枠状ブロックを載置し、
前記２個のブロックのそれぞれの前記第１の面によって囲まれた部分および前記型枠状ブロックの空間部にコンクリートを打設することによって基礎を構成する、基礎の施工方法。
【請求項２】
前記突出部は、前記第１の面の反対側において前記第１の面と同じ高さまで延在する接続部を有し、前記第１の面間の距離の調整は、前記接続部間の距離を調整することによって行われる。請求項１に記載の基礎の施工方法。
【請求項３】
前記接続部間の距離の調整は、前記接続部間をスペーサで固定することによって行う、請求項２に記載の基礎の施工方法。
【発明の詳細な説明】
【技術分野】
【０００１】
この発明は、基礎の施工方法に関し、特に、施工が容易でかつ型枠支保および脱型が不要な基礎の施工方法に関する。
【背景技術】
【０００２】
従来の基礎の施工方法が、たとえば、特開２００３−２６８７８３号公報（特許文献１）に開示されている。特許文献１によれば、スペーサブロックを準備し、スペーサブロックを用いて型枠を保持し、型枠内にコンクリートを打設した後、脱型して基礎を構成していた。
【特許文献１】特開２００３−２６８７８３号公報（段落番号０００６等）
【発明の開示】
【発明が解決しようとする課題】
【０００３】
従来の基礎の施工方法は上記のように行なわれていた。スペーサブロックを用いて型枠を保持し、型枠内にコンクリートを打設した後、脱型して基礎を構成していたため、基礎の施工のために、型枠の準備や脱型作業が必要であり、多くの手間がかかるという問題があった。
【０００４】
この発明は、上記のような従来の課題に鑑みてなされたもので、施工の容易な基礎の施工方法を提供することを目的とする。
【課題を解決するための手段】
【０００５】
この発明に係る基礎の施工方法は、基礎の予定地を溝状に掘削し、掘削した溝内の所定の位置に、第１の面と、第１の面から交わる方向に突出した突出部を有する同一形状の２個のブロックを、相互に第１の面間の距離を調整可能に、且つ、第１の面が溝の底面と交わる方向に向くように設置し、２個のブロックのうちの少なくともいずれか一方の上に空洞部が縦方向に延びる型枠状ブロックを載置し、２個のブロックのそれぞれの第１の面によって囲まれた部分および型枠状ブロックの空間部にコンクリートを打設することによって基礎を構成する。
【０００６】
好ましくは、突出部は、第１の面の反対側において第１の面と同じ高さまで延在する接続部を有し、第１の面間の距離の調整は、２個のブロックの接続部間の距離を調整することによって行われる。
【０００７】
さらに好ましくは、接続部間の距離の調整は、接続部間をスペーサで固定することによって行う。
【発明の効果】
【０００８】
溝内に２つのブロックを設置し、その上に縦方向に延びる型枠状ブロックを載置し、２つのブロックの第１の面で囲まれる部分および型枠状ブロックの空間部にコンクリートを打設することによって基礎を構成するため、２つのブロックの第１の面および型枠状ブロックが型枠として機能する。したがって、型枠の準備や脱型作業が不要になる。
【０００９】
その結果、施工の容易な基礎の施工方法を提供できる。
【発明を実施するための最良の形態】
【００１０】
以下、この発明の一実施の形態に係る基礎の施工方法を、図面を参照して説明する。図１〜図３、図７および図８は基礎の施工方法を順に示す図である。
【００１１】
まず、図１に示すように、基礎を設ける位置に溝１０を掘削する。ついで、溝１０の底部を転圧して捨てコン１１を打設し、捨てコン１１の所定の位置に基礎型枠を位置決めするための地墨１２ａ，１２ｂを打つ（図２）。なお、捨てコン１１は無くても良いが、捨てコン１１を打設し、地墨１２ａ，１２ｂを打てば後で基礎型枠が並べやすくなる。
【００１２】
次に図３に示すように、捨てコン１１の上の地墨１２ａ，１２ｂに沿って、フーチングブロック２０ａ，２０ｂを平行に図中奥方向に連続して並べる。このフーチングブロック２０ａ，２０ｂについて図４を参照して説明する。図４は、並行に並べられたフーチングブロック２０ａ，２０ｂを示す斜視図である。ここでは、フーチングブロック２０ａ，２０ｂを一対のみ示しているが、実際は基礎の長さ分だけ溝に沿って長手方向に複数設ける。
【００１３】
フーチングブロック２０ａ，２０ｂはともに同じ形状を有しているため、以下では、一方のブロック２０ａについて説明する。図４を参照して、フーチングブロック２０ａは、第１の面２１ａと、第１の面２１ａから直交する方向に突出した３つの突出部２２ａ，２２ｂ，２２ｃと、３つの突出部２２ａ，２２ｂ，２２ｃのそれぞれの端部に第１の面２１ａに設けられた接続部２３ａ、２３ｂ，２３ｃを有する。接続部２３ａ、２３ｂ，２３ｃは、第１の面２１ａに平行に設けられた第２の面２４ａ，２４ｂ，２４ｃを有する。これらの同一形状の２個のブロック２０ａ，２０ｂはそれぞれの第１の面２１ａ，２１ｂが逆方向を向くように配置され、その間の距離が、スペーサ１６で、それぞれの第２の面間の距離が保持されることによって保たれる。
【００１４】
図５はスペーサを示す平面図である。図５（Ａ）を参照して、スペーサ１６は、鋼線またはプラスチックで構成され、矩形状のリングになっている。このリングの両端部で２個のブロック２０ａ，２０ｂの接続部２３ａ、２３ｃを保持することによって、２個のブロック２０ａ，２０ｂの間の距離を保持する。
【００１５】
図５（Ｂ）は、スペーサの他の例を示す図である。この例ではスペーサ１７は、横方向に延びる横部材１７ａと、横部材１７ａに対して縦方向に延びる４つの縦部材１７ｂ〜１７ｅを含む。縦部材１７ｂと１７ｃ、および、１７ｄと１７ｅとはそれぞれ凹部を形成し、それぞれの凹部が、２個のブロック２０ａ，２０ｂの接続部２３ａ，２３ｃを保持することによって、２個のブロック２０ａ，２０ｂの間の距離が保持される。このように２個のブロック２０ａ，２０ｂの間の距離がスペーサ１６または１７で保持されたものを以下では基礎ブロック４０という場合がある。
【００１６】
図６（Ａ）は、図４に示したフーチングブロック２０ａの変形例を示す平面図であり、図６（Ｂ）は、図６（Ａ）を矢印Ｂ-Ｂ方向から見た矢視図である。図６を参照して、この変形例では、第１の面２１ａから直交する方向に突出した３つの突出部２２ａ，２２ｂ，２２ｃにはそれぞれ、接続部２３ａ，２３ｂ，２３ｃの途中でその突出寸法を変えるための、溝部２８ａ，２８ｂおよび２８ｃを有している。
【００１７】
通常、フーチングブロック２０ａ，２０ｂは高さが約１５０ｍｍ〜２００ｍｍで、長手方向の寸法は約４００ｍｍである。これらのブロックをその第２面２４ａを対向して配置すると、最も大きい場合は２４０ｍｍ×２＝４８０ｍｍとなる。このような幅は基礎として大きすぎる場合がある。そこで、ここでは、接続部２３ａ〜２３ｃは、途中の溝部２８ａ，２８ｂおよび２８ｃの任意の位置で切断可能であり、この切断位置を任意に選択することによって対向するブロック２０ｂとの間隔を任意に設定可能とする。なお、この図６においては、突出部２２ａ〜２２ｃと接続部２３ａ〜２３ｃとの幅寸法を同じ寸法としている。なお、この接続部にスペーサ１６または１７が取付けられるのは、先の実施の形態と同様である。
【００１８】
図３に戻って、並行に並べられたブロック２０ａ，２０ｂの長手方向に、Ｌ字状の鉄筋３１を取付ける。Ｌ字状の鉄筋３１は、垂直上方に延びる縦筋部３１ａと横方向に延びる横筋部３１ｂとを含む。Ｌ字状の鉄筋３１は、この横筋部３１ｂをスペーサ１６で吊ることによって取付ける。このように、Ｌ字状の鉄筋３１をスペーサ１６で吊り下げるようにして配筋するため、配筋を支持するためのスペーサブロックが不要になり、鉄筋がさびることがなく、高品質の基礎が施工できる。
【００１９】
次に、図７に示すように、ブロック２０ａの上に、空洞部が縦方向に延びる型枠状ブロック４５を載置する。型枠状ブロック４５は、通常のコンクリートブロックであり、相互に反対方向に面している第１および第２の面４５ａ、４５ｂと、第１および第２の面４５ａ、４５ｂを接続するための接続部４５ｃとを含む。型枠状ブロック４５は、この接続部４５ｃのほぼ中央を縦筋３１ａが通るように載置する。このＬ字状の鉄筋３１の縦筋３１ａおよび横筋３１ｂに沿って、型枠状ブロック４５の接続部４５ｃを挟む位置、Ｌ字状の鉄筋３１の折り曲げ部および２つのブロック２０ａ，２０ｂのほぼ中央部にそれぞれ横方向に延びる横筋３３ａ、３３ｂ、３３ｃおよび３３ｄを設ける。
【００２０】
次に、この状態で、図７に示すように基礎ブロック４０を構成する２つのブロック２０ａ，２０ｂの第１面２１ａおよび２１ｂ間、ならびに、型枠状ブロック４５の第１および第２の面４５ａ、４５ｂの間にコンクリート（図中ハッチングで示す）５０を打設する。このとき、コンクリート５０は、型枠状ブロック４５の接続部４５ｃの間からその内部へ入るとともに、基礎ブロック４０の内部にも浸透する。この工程において、型枠状ブロック４５とフーチングブロック２０ａ，２０ｂとは型枠として機能するため、基礎の施工時に型枠支保を別途設ける必要がない。その結果、溝の掘削量も少なくて済むとともに、施工の容易な基礎の施工方法を提供できる。したがって、隣地との境界の近傍に施工するときでも、隣地側に型枠支保工が不要になる。
【００２１】
また、従来の基礎の施工方法では、溝の下部に底盤部分を打設して硬化後、立上り部分を打設するため、底盤部分のコンクリートを打設後にブリージングが起きる。ブリージングが起きれば、必ずレイタンスが発生し、上部との付着が悪くなる。この方法によれば、そのような問題が生じないので、高品質の基礎を築造できる。
【００２２】
さらに、従来の基礎の施工方法では、生コンクリートを打設後、その強度が出るまでに１週間から１０日程度かかるため、その上への施工はすぐにはできない。これに対して、この実施の形態によれば、プレキャストのフーチングブロックを基礎として使用しているため、従来のような長期の養生は不要となり、型枠状ブロックの上へすぐに積上げることが可能なために、施工時間を短縮できる。
【００２３】
その後、図８に示すように、溝１０の内部で、基礎ブロック４０および型枠状ブロック４５以外の部分に、図中点で示すように、土４９を埋め戻す。
【００２４】
次に、基礎の変形例について説明する。上記実施の形態においては、基礎として、Ｌ字状のものを形成したが、ここでは、逆Ｔ字状の基礎について説明する。図９は、逆Ｔ字状の基礎を示す図である。逆Ｔ字状の基礎においても施工方法は基本的には同じである。図９を参照して、逆Ｔ字状の基礎の施工においても、ブロック２０ａおよび２０ｂをその第１面２１ａ，２１ｂが対向して、その間隔が所定の寸法になるようにスペーサ１６ａで調整して配置し、スペーサ１６ａで支持されるように、Ｌ字状の鉄筋３５をブロック２０ａおよび２０ｂの長手方向に複数取付ける。このとき、Ｌ字状の鉄筋３５の縦筋３５ａがブロック２０ａおよび２０ｂの中央部に立ち上がるように保持する。その後、ブロック２０ａおよび２０ｂの接続部の上に縦方向に型枠状ブロック４５および４６を載置する。その後、Ｌ字状の鉄筋３５とベース筋１６ｂとを接続し、型枠状ブロック４５，４６の接続部４５ｃ，４６ｃをはさんでその上下、Ｌ字状の鉄筋３５の折り曲げ部近傍、およびベース筋１６ｂの近傍に、横方向に横筋３６ａ〜３６ｇを配筋する。このようにして、逆Ｔ字状の基礎を施工する。この場合も、先の実施の形態と同様の効果を奏する。このような逆Ｔ字状の基礎は、住宅の基礎等にも使用される。したがって、この場合は、２段目以上に載置される型枠状ブロック４５および４６としては、化粧ブロックとするのが好ましい。
【００２５】
次に、Ｉ字状の基礎を施工する方法について説明する。図１０は、Ｉ字状の基礎を施工する方法を示す斜視図である。この場合も、基本的には図７や図９に示したのと同様に施工する。ただ、ブロック２０ａ，２０ｂの上に載置するされるのは、型枠状ブロックではなく、ブロック２０ａ，２０ｂと同一の形状を有するブロック２０ｃ，２０ｄである点だけが異なる。また、この図では、ブロック２０ａ，２０ｂの端面に設けられるＬ字状鉄筋を省略している。それ以外の部分については同様であるので、その説明は省略する。このようにして、Ｉ字状の基礎を施工する。この場合も、先の実施の形態と同様の効果を奏する。
【００２６】
次に、この発明の他の実施の形態について説明する、図１１は、この発明の他の実施の形態を説明するための図であり、図７の変形例である。図１１を参照して、この実施の形態においては、図７と異なり、スペーサ１６で保持されるＬ字状鉄筋３１だけでなく、それとともに、鋼管杭５１が設けられている。鋼管杭５１は、先端部が円錐形状であり、上部に開口を有する円筒状で、内部に縦筋５２を保持可能である。縦筋５２は、鋼管杭５１の上端部から外部へ突出している。鋼管杭５１の上端部から外部へ突出した部分はブロック塀の縦筋として機能するため、高品質のブロック塀を施工できる。
【００２７】
この鋼管杭５１が設けられる位置には、所定の深さの穴５５が掘削されている。
【００２８】
また、上記実施の形態においては、基礎ブロックとしてフーチングブロックを用いた場合について説明したが、これに限らず、同様の形状であれば、任意の形状のものを使用できる。
【００２９】
なお、上記実施の形態においては、縦筋をフーチングブロックの長手方向寸法のピッチで、横筋を型枠状ブロックの接続部を挟むピッチで設けた例について説明したが、これに限らず、任意の位置に設けてもよい。
【００３０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３１】
【図１】この発明の一実施の形態に係る基礎の施工手順を示す図において、まず基礎の予定地を溝状に掘削した状態を示す図である。
【図２】溝内に捨てコンを打設した状態を示す図である。
【図３】溝内に基礎ブロックとなるフーチングブロックをならべ、そこにＬ字状の鉄筋を設けた状態を示す図である。
【図４】基礎ブロックの配置状態を示す斜視図である。
【図５】スペーサを示す図である。
【図６】基礎ブロックとなるフーチングブロックの変形例を示す図である。
【図７】基礎ブロックの上に型枠状ブロックを載置した状態を示す図である。
【図８】基礎ブロックの上に型枠状ブロックを載置してその内部にコンクリートを打設した状態を示す図である。
【図９】逆Ｔ字状の基礎を施工する方法を示す図である。
【図１０】Ｉ字状の基礎を施工する方法を示す図である。
【図１１】この発明の他の施工方法を示す側面図である。
【符号の説明】
【００３２】
１０  溝、１１  捨てコン、１２  地墨、１６，１７  スペーサ、２０  フーチングブロック、２１  第１の面、２２，２５  突出部、２３  接続部、２４，２６  第２の面、３１  鉄筋、３３  横筋、４０  基礎ブロック、４５，４６  型枠状ブロック、５０  コンクリート、５１  鋼管杭、５２  縦筋、５５  穴。
【図１】
2007303253.tif 000003
【図２】
2007303253.tif 000004
【図３】
2007303253.tif 000005
【図４】
2007303253.tif 000006
【図５】
2007303253.tif 000007
【図６】
2007303253.tif 000008
【図７】
2007303253.tif 000009
【図８】
2007303253.tif 000010
【図９】
2007303253.tif 000011
【図１０】
2007303253.tif 000012
【図１１】
2007303253.tif 000013